(57)【要約】      （修正有）【課題】地震等により水平方向へ相対的に変位する二つの構造物間の可動接合部を、段差のない略同一レベル面で接続する可動部接合構造を提供する。【解決手段】水平方向へ相対的に変位する二つの隣接構造物における一方の構造物１の接合用部材１Ａは、水平変位を許容する間隔３を開けた部分を跨いで、他方の構造物２の接合用部分の上面２Ａに到達して重合する長さに形成され、一方の接合用部材１Ａの先端部に、他方の接合用部分の上面２Ａを滑る鋤形状のプレート４が取り付けられ、他方の接合用部分の上面２Ａには、少なくとも鋤形状プレート４の滑動範囲を一方の接合用部材１Ａの厚さ相当の深さに形成した凹面部５が設けられ、鋤形状プレート４と凹面部５との間に粒状物６が充填され、平常時における粒状物６の上面は両側の隣接構造物の接合部分の上面とほぼ同一レベルに均して平坦に形成されている。【選択図】図１
2010242438.tif 000002
【特許請求の範囲】
【請求項１】
水平方向へ相対的に変位する二つの隣接構造物における一方の構造物の接合用部材は、水平変位を許容する間隔をあけた部分を跨いで、他方の構造物の接合用部分の上に到達して重合する長さに形成され、
前記一方の接合用部材の先端部に、他方の接合用部分の上面を滑る鋤形状のプレートが取り付けられ、
前記他方の接合用部分の上面には、少なくとも前記鋤形状プレートの滑動範囲を前記一方の接合用部材の厚さ相当の深さに形成した凹面部が設けられ、前記鋤形状プレートと前記凹面部との間に粒状物が充填され、平常時における前記粒状物の上面は両側の隣接構造物の上面とほぼ同一レベルに均して平坦に形成されていることを特徴とする、構造物の可動接合構造。
【請求項２】
免震建物の床跳ね出しスラブと、その外周部に水平変位を許容する免震間隔をあけて構築された擁壁とを水平方向に接続する免震床ジョイント構造において、
免震建物の床跳ね出しスラブは、免震間隔を跨いで擁壁上に到達し重合する長さに形成され、
前記床跳ね出しスラブの先端部に、擁壁の上面を滑る鋤形状のプレートが取り付けられ、
前記擁壁の上面に、少なくとも前記鋤形状プレートの滑動範囲を前記床跳ね出しスラブの厚さ相当の深さに形成した凹面部が設けられ、前記鋤形状プレートと前記凹面部との間に粒状物が充填され、平常時における前記粒状物の上面は床跳ね出しスラブおよび擁壁の上面を含む周辺地盤の上面とほぼ同一レベルに均して平坦に形成されていることを特徴とする。構造物の可動接合構造。
【請求項３】
免震建物の床跳ね出しスラブは、その下面が擁壁の上面とは接触しない間隔を開けて上方に配置され、擁壁の上面部に設置して立ち上げた止水板が床跳ね出しスラブの下面と接触する構成とされていることを特徴とする、請求項２に記載した構造物の可動接合構造。
【発明の詳細な説明】
【技術分野】
【０００１】
この発明は、構造物の相対的に変位する可動部分の接合構造、特にいえば、地震等により水平方向へ相対的に変位する二つの構造物間の可動接合部、更に具体的にいえば、免震建物の床跳ね出しスラブと、その外周に免震間隔をあけて構築された擁壁およびこれに連なる周辺地盤等との間を、段差のない略同一レベル面に接続する可動部接合構造（所謂エキスパンションジョイント）の技術分野に属する。
【背景技術】
【０００２】
隣接する二つの構造物の相互間を相対的な水平変位のスライドが可能に接合する構造、例えば地震や風荷重などで水平方向に変位する免震建物の床跳ね出しスラブと、その外周に免震間隔（水平変位を吸収するクリアランス＝通例３０ｃｍ〜４０ｃｍ）をあけて構築された擁壁およびこれに連なる周辺地盤等との間を、人の歩行や車両の走行などの通行に支障ない状態に、且つ安全な状態にスライド可能に接合する技術は、免震建物等には必須事項であり、下記するように構造物の形態や適用条件に応じて種々に工夫された接合構造が提案され実施されている。
例えば下記の特許文献１に記載された建築物の目地カバーは、隣接する建築物の相互間に形成された目地部（間隔を開けた部分）を覆う目的のもので、建築物の異なる揺れに追従することができ、耐風圧強度が大きい構成を提案する。しかし、人の歩行や車両の走行の用に供する接合構造ではない。
【０００３】
下記の特許文献２に記載された床用目地装置は、目地部（間隔部分）をあけて建てられた左右の建物における一方の建物の床部先端に目地プレート支持金具を取り付け、前記目地プレート支持金具へ一端を取り付け、その他端側は他方の建物の床面に形成されたスライド凹面のスライド金具上へ架け渡した目地プレートで前記目地部（間隔部分）を覆い、左右の床面をほぼ同一面に接合した構成である。この床用目地装置は、左右の建物の水平方向の揺れが大きくて、目地部（間隔部分）の寸法が一定以上に狭くなると、目地プレート押し上げ機構により目地プレートを押し上げて他方の建物の床面上へ乗り上げさせ、目地プレート自体は水平度を保つように工夫している。しかし、前記目地プレートと両側の建物の床部上面とは、目地プレートの厚さ分だけ段差を生ずる構成である。したがって、目地プレートの近傍に居る人にとっては、地震時における目地プレートの前記乗り上げ挙動は危険極まりない。
【０００４】
下記の特許文献３に記載されたエキスパンションジョイントにおけるジョイント主体の浮き上がり防止構造は、免震建物の床跳ね出しスラブと、その外周に免震間隔（変位を吸収するクリアランス）を隔てた擁壁を含む地盤側との間を接合するべく設置したエキスパンションジョイントの構成である。鋼製の荷重支持部材を免震建物の水平変位に応じて伸縮可能な構造とし、この荷重支持部材の上面にゴムで構成された表装材を取り付けた構成と認められる。この発明の場合、鋼製の荷重支持部材は免震建物の水平変位に応じて伸縮可能な構造なので、浮き上がりは生じない。しかし、荷重支持部材の上面に取り付けた表装材は、免震建物の変位量に応じて（つまり荷重支持部材の収縮動作にしたがい）上方へ膨れる変形を生ずることを避けられない構成と認められる（図１３、図１４、図１５とその説明を参照）。
【０００５】
下記の特許文献４に記載された床用目地装置は、端的に言うと、上記特許文献２の床用目地装置が地震時に目地プレートの先端部が他方側へ乗り上げて突出するので、そうした動作の危険性を改善するものと説明されている（段落番号［０００４］）。しかし、段落番号［００１７］と［００１８］および図８、図９の記載を見ると、目地プレートが他方側へ乗り上げて突出する動作は若干小さくなっている程度に過ぎず、乗り上げて突出する挙動が全て解消されているのではなく、依然段差を生ずる構成と認められる。
【０００６】
次に、下記の特許文献５に記載された中間層免震建物は、免震エキスパンションのデッドスペースを小さくした構成と説明されている。しかし、やはりエキスパンションジョイントは地震等による建物の揺れの大きさに応じて先端部が相手側の構造物上面へ乗り上げる構成および機構であると認められ（図７、図８）、段差の無い同一レベル面に接続する可動接合構造（又はエキスパンションジョイント）にはなっていない。
【先行技術文献】
【特許文献】
【０００７】
【特許文献１】特公昭６３−３７２１８号公報
【特許文献２】特許第３３２８１９９号公報
【特許文献３】特開２０００−１６０７０３号公報
【特許文献４】特開２００５−１２６９５１号公報
【特許文献５】特開２００８−８８７８０号公報
【発明の概要】
【発明が解決しようとする課題】
【０００８】
上記の各特許文献１〜５に見るとおり、従来、隣接する二つの構造物の相互間を地震等による相対的な水平変位に対応するスライドが可能に接合する構造は種々提案されている。しかし、人の歩行や車両の走行などに支障ない状態に、且つ安全な状態に段差のない略同一レベル面に接続する可動接合構造（又はエキスパンションジョイント）は未だ見当たらない。
例えば特許文献３に記載されたエキスパンションジョイントにおけるジョイント主体の浮き上がり防止構造は、たしかに鋼製の荷重支持部材が免震建物の水平変位に応じて伸縮可能な構造なので、これ自体は浮き上がりを生じない。しかし、同荷重支持部材の上面に取り付けたクロロプレンゴム等による表装材は、免震建物の変位量（特に荷重支持部材の収縮動作）の大きさに応じて上方へ膨れ上がる変形を避けられない構成である。したがって、人の歩行や車両の走行などに支障を生ずることは明らかである。また、地震時の安全性が十分に確保されているとも言い難い構成である。
【０００９】
本発明の目的は、上記した既往技術の実情に鑑みて、隣接する二つの構造物の相互間を地震等による相対的な水平変位のスライドが可能に接合する構造を、もっと簡易で実施が容易な構成で実現することである。更に云えば、人の歩行や車両の走行などに支障を生ずることがなく、且つ安全であるように、段差のない略同一レベル面で接続する可動接合構造（エキスパンションジョイント）を提供することである。
【課題を解決するための手段】
【００１０】
上記従来技術の課題を解決するための手段として、請求項１に記載した発明に係る可動部接合構造は、
水平方向へ相対的に変位する二つの隣接構造物における一方の構造物１の接合用部材１Ａは、水平変位を許容する間隔３を開けた部分を跨いで、他方の構造物２の接合用部分の上面２Ａに到達して重合する長さに形成され、
前記一方の接合用部材１Ａの先端部に、他方の接合用部分の上面２Ａを滑る鋤形状のプレート４が取り付けられ、
前記他方の接合用部分の上面２Ａには、少なくとも前記鋤形状プレート４の滑動範囲を前記一方の接合用部材１Ａの厚さ相当の深さに形成した凹面部５が設けられ、前記鋤形状プレート４と前記凹面部５との間に粒状物６が充填され、平常時における前記粒状物６の上面は両側の隣接構造物の接合部分の上面とほぼ同一レベルに均して平坦に形成されていることを特徴とする。
【００１１】
請求項２に記載した発明に係る可動部接合構造は、免震建物１の床跳ね出しスラブ１Ａと、その外周部に水平変位を許容する間隔３をあけて構築された擁壁２とを水平方向に接続する免震床接合構造において、
免震建物１の床跳ね出しスラブ１Ａは、前記間隔３を跨いで、外周部の擁壁２上に到達して重合する長さに形成され、
前記床跳ね出しスラブ１Ａの先端部に、擁壁２の上面２Ａを滑る鋤形状のプレートが取り付けられ、
前記擁壁２の上面２Ａに、少なくとも前記鋤形状プレート４の滑動範囲を前記床跳ね出しスラブ１Ａの厚さ相当の深さに形成した凹面部５が設けられ、前記鋤形状プレート４と前記凹面部５との間に粒状物６が充填され、平常時における前記粒状物６の上面は床跳ね出しスラブ１Ａおよび擁壁２の頂面ないし周辺地盤７の上面とほぼ同一レベルに均して平坦に形成されていることを特徴とする。
【００１２】
請求項３に記載した発明は、請求項２に記載した可動部接合構造において、
免震建物１の床跳ね出しスラブ１Ａは、その下面が擁壁２の上面とは接触しない間隔を開けて上方に配置され、擁壁２の上面部に設置して立ち上げた止水板８が床跳ね出しスラブ１Ａの下面と接触する構成とされていることを特徴とする。
【発明の効果】
【００１３】
請求項１〜３に記載した発明に係る可動部接合構造（エキスパンションジョイントないし免震床ジョイント構造）は、実施対象物の構造如何にかかわらず、隣接する二つの構造物１と２、７との相互間を地震や風荷重等による相対的な水平変位（スライド）が可能に接合する構造として実施することができる。
即ち、水平方向へ相対的に変位する関係にある二つの構造物の相互間を、一方の構造物１の接合用部材１Ａは、地震時の水平変位を許容する間隔３をあけた部分を跨いで、他方の構造物２、７の接合用部分の上に到達させて重合する長さに形成するので、いわゆる免震用の間隔３の上を覆う目隠し効果がある上に、人の歩行や車両の走行の安全性が構造的に確保される。そして、意匠的には通常の非免震建物と同様の外観および環境を呈し、シンプルで周辺環境との調和に配慮した構成が得られる。
また、前記一方の接合用部材（床跳ね出しスラブ１Ａ）の先端部に、他方の接合用部材（擁壁２）の上面２Ａを滑る鋤形状のプレート４が取り付けられ、前記他方の接合用部材（擁壁２）の上面２Ａには前記鋤形状プレート４の少なくとも滑動範囲を前記一方の接合用部材（床跳ね出しスラブ１Ａ）の厚さ相当の深さに形成した凹面部５を設け、この凹面部５と前記鋤形状プレート４との間に粒状物６を充填し、平常時における前記粒状物６の上面は両側の接合用部材１Ａと２、７の上面とほぼ同一レベルに均して平坦に形成するので、両側の接合用部材１Ａと他方の構造物２、７は粒状物６の上面を含めた全体が、人の歩行や車両の走行に支障のない一連の平坦構造となり、通行に適し安全な構成である。
意匠的な面で云えば、粒状物６の存在を景観材と見ると、通常の非免震建物と同様の外観と環境を呈し、シンプルで周辺環境との調和に配慮した景観が得られる。
その上、本発明の可動部接合構造は、既往技術に比較して、接合構造の構成が至極簡単で、簡易に安価に実施できる。また、建物や周辺地盤が受ける降雨の排水処理にも配慮した玉砂利敷き免震床の構成となり、実用的効果が高い構成である。
【図面の簡単な説明】
【００１４】
【図１】免震建物の床跳ね出しスラブと外周の擁壁および地盤との免震床ジョイント構造の実施例を示した主要部の断面図である。
【図２】上記免震床ジョイント構造の要部を拡大して示した詳細図である。
【発明を実施するための形態】
【００１５】
本発明の可動部接合構造を実施する基本形態は、免震建物における床跳ね出しスラブ１Ａとその外周の擁壁２および周辺地盤７との免震床ジョイント構造に限定されず、地震や風荷重等で水平方向へ相対的に変位する関係にある二つの隣接構造物の相互間におけるエキスパンションジョイントとして広く実施することができる。
即ち、水平方向へ変位する一方の構造物１の接合用部材１Ａは、地震時の水平変位を許容する間隔、いわゆる免震間隔３をあけた部分を跨いで、他方の接合用部材２の上に到達して重合する長さに形成する。そして、他方の構造物２の接合用部分２Ａの上に到達させた前記接合用部材１Ａの先端部には、他方の接合用部分の上面２Ａを滑る鋤形状のプレート４を取り付ける。
他方の接合用部分の上面２Ａには、前記鋤形状プレート４の滑動ストロークの範囲に、前記一方の接合用部材１Ａの厚さ相当の深さで凹面部５を形成し、該凹面部５と前記鋤形状プレート４との間に粒状物６を充填して埋め、平常時における前記粒状物６の上面は、両側の接合用部材１Ａと他方の接合用部材２、７の上面とほぼ同一レベルに均して平坦に形成する。
したがって、本発明の可動部接合構造（エキスパンションジョイント）は、基本的に人の歩行や車両の走行に支障がない平坦面の構成を実現できる。
【実施例】
【００１６】
以下に、図１および図２に基づいて上記請求項２、３に係る発明の実施例を説明する。
図１は、免震建物１の床跳ね出しスラブ１Ａと、その外周部に地震時に予想される水平変位量を許容する大きさＳの間隔３（免震間隔）をあけて構築された擁壁２および周辺地盤７との間を水平方向に接続する免震床ジョイント構造の実施例を示している。
図示例の免震建物１は、地下１階、地上２階の戸建て住宅（ただし、免震建物を戸建て住宅に限る意味ではない。集合住宅等であってもよい。）の地下部分が、基礎底板１２と擁壁２および周辺地盤７とに囲まれており、この免震建物１の外壁と擁壁２との間に、一例として水平変位量は４００ｍｍにて設計され、該水平変位量を許容する大きさＳ相当の免震間隔３が確保されている。図示例の免震建物１は、前記基礎底板１２の上に設置された免震装置１３で基礎梁部分が支持されている。そして、免震建物１の床跳ね出しスラブ１Ａが、擁壁２および周辺地盤２と免震床ジョイント構造により連絡され、人や物の出入りが自由自在な構成とされている。
【００１７】
図２に、上記免震床ジョイント構造の要部の詳細を示している。
免震建物１の床跳ね出しスラブ１Ａは、鉄筋コンクリート造として構築された免震建物１の外壁構造と一体をなす構造体として、同外壁から片持ち梁形式で水平方向の外方へ突き出すように構築されている。この床跳ね出しスラブ１Ａは、上記免震間隔３を跨いで外周の擁壁２上に到達して重合する長さに形成されている。したがって、外見上は免震間隔３がその上の床跳ね出しスラブ１Ａによって完全に塞がれた目隠し構造であり、通常の非免震建物の外構部分と変わりない景観を呈する。
因みに、本実施例の床跳ね出しスラブ１Ａは、建物外壁の壁芯から約１ｍ程度の長さ突き出され、擁壁２の上面２Ａとは少なくとも上記の免震間隔３程度の長さは重合（ラップ）する構成とされている。この床跳ね出しスラブ１Ａの上面には、外方（図２の右方）に向かっておよそ１／５０程度の水勾配が形成されているが、擁壁２の上端面および周辺地面２とほぼ同一レベル（段差無しの床同面納まり）に構成されている。図２中の符号１Ｂは、床跳ね出しスラブ１Ａの上面を形成するタイル貼りを示す。
【００１８】
また、本実施例の場合、跳ね出しスラブ１Ａの下面は、擁壁２の上面２Ａとは直接接触させない間隔（約５０ｍｍ程度）を開けて少し上方に位置する構成とされている。そして、擁壁２の内面上端へコンクリートネジ８ａで取り付けて設置し立ち上げた合成ゴム製の止水板８が、前記床跳ね出しスラブ１Ａの下面と接触している。したがって、大量の雨水が溢れた場合の漏水が擁壁２の内側面へ流れ込むことを防止する構成とされている。
図２中の符号２Ｂは、擁壁２の上面２Ａの縁部であって、上記止水板８の内側部分に形成された水返しの為の凸型部分を指す。この凸型部分２Ｂは軽微な漏水の場合には、その漏水を堰き止めて壁の内側へ流れ込むことを防止するものである。
【００１９】
上記床跳ね出しスラブ１Ａの先端面部には、擁壁２の上面２Ａを滑る鋤形状（又はスコップ形状）のプレート４が外向きに取り付けられている。この鋤形状プレート４は、耐久性が良くて錆びないステンレス鋼製とされている。前記床跳ね出しスラブ１Ａの先端面部へはボルト１４で鋼製の支持金具１０を取り付け、同支持金具１０の前面へ鋤形状プレート４がビス止めにより取り付けられている。
一方、上記鋤形状プレート４の先端縁が接して滑動する擁壁２の上面２Ａには、上記鋤形状プレート４が少なくとも地震時に滑動するであろう範囲が、上記床跳ね出しスラブ１Ａの厚さ（約１８０ｍｍ）に、上記下面の接触を防ぐように開けた間隔（約５０ｍｍ程度）を加算した深さ（約２７０ｍｍ）の凹面部５が形成されている。そして、前記鋤形状プレート４と前記凹面部５との空間上（図２の左右方向の幅にして約８００ｍｍ）に、形態の自在性があって、しかも人の歩行や車両の走行の路盤材としての適性がある粒状物、具体的には粒径がφ２０〜φ３０程度の玉砂利６を充填して埋め、玉砂利敷き床免震ジョイント構造が構成されている。玉砂利６の平常時の上面は、床跳ね出しスラブ１Ａ、および擁壁２の頂部並びに周辺地盤７の上面とほぼ同一レベルに均した床同面の納まりに形成されている。玉砂利６の上面は人や車両が普通に通行できるから、免震建物１への出入り通行に支障は一切ない。
【００２０】
つまり、地震や風荷重等で免震建物１が揺れて、床跳ね出しスラブ１Ａが水平方向に変位した場合、免震建物１と共に動く床跳ね出しスラブ１Ａに対し、相対的に静止状態を保つ擁壁２との関係では、鋤形状プレート４が擁壁２の上面２Ａを滑動し、玉砂利６をすくい上げ又は放出する挙動を呈することになる。そのため鋤形状プレート４と凹面部５との間に充填された玉砂利６は、その全量の形態変化として鋤形状プレート４の変位量を吸収する。要するに鋤形状プレート４が擁壁２へ接近する変位にしたがい、玉砂利６の上面がせり上がり、又は遠のく変位にしたがい玉砂利６の上面が沈む変化をすることになる。しかし、鋤形状プレート４と凹面部５との空間が十分大きい（図２の左右方向の幅にして約８００ｍｍ）と、玉砂利６の全体としての上面変化は僅かで済み、一応の平坦面を保持する。玉砂利６の上面の変化としては、例えば上記特許文献２の図６に記載されたように極端な凹部を発生したり、逆に図７、８に記載されたように目地プレートが乗り上げる挙動、或いは上記特許文献３の図１３〜図１５に記載されたように表装材が局部的に大きく浮上するような現象は発生せず、人の歩行や車両の走行の安全性が確保されるし、意匠的にも通常の非免震建物の外構と同様の景観を呈する。
図２中に見られる符号１４は、床跳ね出しスラブ１Ａの先端部の上隅、および擁壁２の上面に形成した凹面部５の開口縁部にそれぞれ設置した縁石である。因みにこの縁石１４には、通例花崗岩の角材などが使用される。
【００２１】
次に、図２中の符号９は、擁壁２の上面２Ａに形成された上記床跳ね出しスラブ１Ａの厚さ相当深さの凹面部５の底面から下方へ適度な深さの溝状に形成された排水溝９である。この排水溝９は、上記のように鋤形状プレート４と凹面部５との間へ充填された玉砂利６の充填範囲のほぼ中央直下の位置に設けられている。つまり、この排水溝９は、免震建物１に降りかかった雨水、および周辺地盤２に降った雨水の排水処理を目的としており、この目的に適合する幅員と深さ（規模）に設けられている。したがって、本実施例の免震建物１は、雨水等の排水効果に優れ、雨水が溢れて擁壁２の内側へ流れ込む心配は皆無である。
排水溝９の上面開口部は、凹面部５に充填される上記玉砂利６を通さない孔径の孔による孔あきプレート１１で塞がれている。この孔あきプレート１１は、耐久性と防錆効果に優れたステンレス鋼製とされ、排水溝９の開口部両側縁部に設けた受け座１５へ安定状態に、且つメンテナンスを容易に行わせる着脱可能状態に設置されている。
【００２２】
以上に説明したとおり、本発明の可働接合部構造（免震床ジョイント構造又はエキスパンションジョイント）は、免震建物１の床跳ね出しスラブ１Ａ（一方の接合用部材）が免震間隔３を跨いで擁壁２（他方の接合用部材）へ到達して重合するように設け、同床跳ね出しスラブ１Ａの先端部に鋤形状プレート４を取り付け、擁壁２（他方の接合用部材）に凹面部５を形成し、前記鋤形状プレート４と凹面部５の空間へ粒状物６を充填して埋める構成で実施されるから、いわば免震建物１の構築と、その外周へ擁壁２等の外構を構築する工事の一環として容易に実施することができる。その結果、すこぶる安価に、且つ既往技術の施工手順で簡単に実施することができる。
【００２３】
以上に本発明を図示した実施例に基づいて説明したが、本発明は上記実施例の構成に限定されるものではない。本発明の要旨を逸脱しない範囲において、当業者が必要に応じて通常行う設計変更その他の変形、応用の構成をも包含することを念のため申し添える。
【符号の説明】
【００２４】
１      免震建物
１Ａ    床跳ね出しスラブ（一方の接合用部材）
３      免震間隔  
２      擁壁（他方の接合用部分）
４      鋤形状プレート
５      凹面部
６      粒状物（玉砂利）
７      周辺地盤
８      止水板
９      排水溝  
１１    孔あきプレート
【図１】
2010242438.tif 000003
【図２】
2010242438.tif 000004